(57)【要約】【課題】  ベッド間の移動が容易で、発生する局所臭気の吸引、脱臭を簡易な操作で行える装置を提供する。【解決手段】  内部に着脱自在な脱臭剤カートリッジが装着された移動可能な脱臭装置１０本体と、一端が脱臭装置１０本体上面に回動可能に支持され、内部に通気路が形成された第１の吸引アーム１１と、第１の吸引アーム１１の通気路と連通した通気路が内部に形成され、一端が第１の吸引アーム１１の先端に回動関節１７を介して連結された、先端に吸引口を有する第２の吸引アーム１２と、脱臭装置本体１０内に設けられ、第１の吸引アーム１１及び第２の吸引アーム１２内の通気路を介して吸引口から臭気を吸引する吸気ファンとを備えた。この吸気ファンから送気された臭気を、カートリッジ内の脱臭剤を通過させて脱臭し、装置本体外に排出するようにした。【選択図】  図１
2010253246.tif 000002
【特許請求の範囲】
【請求項１】
内部に着脱自在な脱臭手段を有する移動可能な脱臭装置本体と、
一端が前記脱臭装置本体上面に回動可能に支持され、内部に通気路が形成された第１の吸引アームと、
該第１の吸引アームの通気路と連通した通気路が内部に形成され、一端が前記第１の吸引アームの先端に回動関節を介して連結された、先端に吸引口を有する第２の吸引アームと、
前記脱臭装置本体内に設けられ、前記第１の吸引アーム及び前記第２の吸引アーム内の通気路を介して前記吸引口から臭気を吸引し、排気側から送気可能な吸気手段とを備え、
該吸気手段の排気側から送気された臭気を、前記脱臭手段を通過させて脱臭し、装置本体外に排出するようにしたことを特徴とする脱臭装置。
【請求項２】
前記吸引口は、その外周縁に支持され、先端に向けて拡径する筒状のカバーを有し、該カバーの内周面と前記吸引口との間に、前記吸引口から所定の離れをとって遮蔽板を設けて吸引通気部を形成し、該吸引通気部を、臭気が所定風速以上で通過して吸引されることを特徴とする請求項１に記載の脱臭装置。
【請求項３】
前記遮蔽板は、前記カバーで囲まれた空間において、先端側に向けて凸状をなした形状からなり、該遮蔽板の外面形状と前記カバー内周面とに沿って臭気が前記吸引通気部に案内されることを特徴とする請求項２に記載の脱臭装置。
【請求項４】
前記遮蔽板は、先端に向けて凸状をなした円錘形状をなすことを特徴とする請求項３に記載の脱臭装置。
【請求項５】
前記遮蔽板は、先端に向けて凸状をなした湾曲面形状をなすことを特徴とする請求項３に記載の脱臭装置。
【請求項６】
前記脱臭手段は、外面が臭気中の微粒子、粉塵を捕捉可能な不織布フィルタで覆われ、その内部に活性炭が充填された活性炭層が形成されたことを特徴とする請求項１に記載の脱臭装置。
【請求項７】
前記活性炭層は、メソ孔主体活性炭でメソ孔容積の割合が活性炭吸着全容積の５５〜７０％を占める活性炭を用いることを特徴とする請求項１に記載の脱臭装置。
【請求項８】
前記脱臭手段は、交換可能なカートリッジからなることを特徴とする請求項５または請求項６に記載の脱臭装置。
【請求項９】
前記脱臭手段の上面に脱臭バッファ空間を設け、吸引された臭気が該脱臭バッファ空間を介して、臭気が前記脱臭手段を所定風速以上で通過し脱臭されることを特徴とする請求項１に記載の脱臭装置。
【請求項１０】
前記脱臭装置本体内に、第１の吸引アームと前記第２の吸引アームとを所定ストローク内の任意の高さに昇降させる昇降装置を備えたことを特徴とする請求項１に記載の脱臭装置。
【発明の詳細な説明】
【技術分野】
【０００１】
本発明は、病院や老人介護施設等において、寝たきりの病人、要介護者のベッドのもとに移動して、おむつ交換等の際に発生する局所臭気を吸引し、脱臭する脱臭装置に関する。
【背景技術】
【０００２】
病院や老人介護施設等において、寝たきりの病人、要介護者のおむつ交換をする際に、排泄物や局部から発せられる臭気を短時間に処理できることへの要求がある。このような、排泄物等の局所臭気を脱臭する脱臭装置には、様々なものが開発されている。
【０００３】
例えば、特許文献１には、蛇腹状の管を変位させて臭気発生源のすぐ近くに吸引口配置させ、吸引口から臭気を吸い込み脱臭する脱臭装置が開示されている。
【０００４】
また、特許文献２には、脱臭装置と電池とを搭載し、吸引ホースを伸ばした場合はホース先端から臭気を収集し、吸引ホースを収納した場合はダストボックス内の臭気を脱臭する装置が開示されている。
【０００５】
また、特許文献３には、ボールジョイント（球関節）で連結されたダクトの先端に椀状の吸込フードを備え、ダクトを屈曲させて吸込フードの位置決めをすることができる脱臭装置が開示されている。また、この脱臭装置は、フィルタによる送風能力の低下を避けるため、吸込口にも吸込ファンを備えている。
【先行技術文献】
【特許文献】
【０００６】
【特許文献１】特開２０００−１５７６１７号公報
【特許文献２】特開２０００−１５７５８２号公報
【特許文献３】特許２００５−１８５６９６号公報
【発明の概要】
【発明が解決しようとする課題】
【０００７】
しかし、上述した脱臭装置は、装置が大掛かりで、看護師等が各ベッドまで移動させるのが大変で、また発生する局所臭気の脱臭作業に手間がかかるという問題があった。また、上述した脱臭装置においては、吸引した臭気の処理についての明確な処理方法が特記されていないことが環境保全において課題となる。
【０００８】
本発明は、上記問題点に鑑みてなされたものであり、簡単な構成からなり、ベッド間の移動が容易で、発生する局所臭気の吸引、脱臭を簡易な操作で行えるようにしたもので、吸引した臭気を容易かつ確実に吸着可能な吸着剤を装着した脱臭装置を提供することを目的とする。
【課題を解決するための手段】
【０００９】
上記目的を達成するため、本発明の脱臭装置は、内部に着脱自在な脱臭手段を有する移動可能な脱臭装置本体と、一端が前記脱臭装置本体上面に回動可能に支持され、内部に通気路が形成された第１の吸引アームと、該第１の吸引アームの通気路と連通した通気路が内部に形成され、一端が前記第１の吸引アームの先端に回動関節を介して連結された、先端に吸引口を有する第２の吸引アームと、前記脱臭装置本体内に設けられ、前記第１の吸引アーム及び前記第２の吸引アーム内の通気路を介して前記吸引口から臭気を吸引し、排気側から送気可能な吸気手段とを備え、該吸気手段の排気側から送気された臭気を、前記脱臭手段を通過させて脱臭し、装置本体外に排出するようにしたことを特徴とする。
【００１０】
前記吸引口は、その外周縁に支持され、先端に向けて拡径する筒状のカバーを有し、該カバーの内周面と前記吸引口との間に、前記吸引口から所定の離れをとって遮蔽板を設けて吸引通気部を形成し、該吸引通気部を、臭気が所定風速以上で通過して吸引されることが好ましい。
【００１１】
前記遮蔽板は、前記カバーで囲まれた空間において、先端側に向けて凸状をなした形状からなり、該遮蔽板の外面形状と前記カバー内周面とに沿って臭気が前記吸引通気部に案内されることが好ましい。
【００１２】
前記遮蔽板は、先端に向けて凸状をなした円錘形状あるいは湾曲面形状とすることが好ましい。
【００１３】
前記脱臭手段は、外面が臭気中の微粒子や粉塵を捕捉する不織布フィルタで覆われ、その内部に活性炭が充填された活性炭層を形成することが好ましい。
【００１４】
前記活性炭層は、メソ孔主体活性炭でメソ孔容積の割合が活性炭吸着全容積の５５〜７０％を占める活性炭を用いることが好ましい。
【００１５】
前記脱臭手段は、交換可能なカートリッジとすることが好ましい。
【００１６】
前記脱臭手段の上面に脱臭バッファ空間を設け、吸引された臭気が該脱臭バッファ空間を介して、前記脱臭手段を臭気が所定風速以上で通過し、脱臭されることが好ましい。
【００１７】
前記脱臭装置本体内に、第１の吸引アームと前記第２の吸引アームとを所定ストローク内の任意の高さに昇降させる昇降装置を備えることが好ましい。
【発明の効果】
【００１８】
本発明によれば、簡単な構成からなり、かつ、脱臭作業に手間を要しない脱臭装置を提供することができる。また、メソ孔主体活性炭を脱臭吸着剤としていることから、カートリッジ式で吸着剤を取り出して容易に吸着剤の脱着再生が行えるという効果を奏する。
【図面の簡単な説明】
【００１９】
【図１】本発明の実施形態に係る脱臭装置の外観を示した斜視図である。
【図２】吸引アームの各部拡大した部分側面図であり、（ａ）は第２吸引アームの先端部、（ｂ）は第１吸引アームと第２吸引アームとの接合部、（ｃ）は第１吸引アームの根元部を図である。
【図３】臭気吸引カバーと遮蔽板に関する他の実施例を示した部分断面図。
【図４】図１中の矢視III−IIIで示した脱臭装置の側断面図である。
【図５】活性炭カートリッジを示した図であり、（ａ）は平面図、（ｂ）は（ａ）中の矢視ｂ−ｂで示した断面図である。
【図６】本発明の実施形態に係る脱臭装置を上方から見た平面図である。
【図７】脱臭装置本体に収容された吸収アームの昇降装置を示した脱臭装置の側断面図である。
【図８】本発明の実施形態に係る脱臭装置を使用している様子を示した図である。
【発明を実施するための形態】
【００２０】
以下、本発明の実施形態に係る脱臭装置を図面を参照して説明する。
【００２１】
図１は、本発明の実施形態に係る脱臭装置１の外観を示した斜視図である。この脱臭装置１は、アルミニウムの板材及び成型材から形成された、上面に操作パネル４０が配置された脱臭装置本体１０と、脱臭装置本体１０から延出した第１の吸引アーム１１及び第２の吸引アーム１２とを備えている。
【００２２】
脱臭装置本体１０は、脱臭装置１を構成する各装置を収容・保持するとともに、脱臭装置本体１０から延出した第１の吸引アーム１１及び第２の吸引アーム１２（以下、第１の吸引アーム１１及び第２の吸引アーム１２を総称する場合は、単に吸引アームと記す。）のうち、第１の吸引アーム１１の根元部を支持する。本実施の形態では、第１の吸引アーム１１及び第２の吸引アーム１２は、ステンレススチールを折り曲げ成形してなる断面矩形の筒体形状をなし、回動関節を介して屈曲、伸長可能なアームからなる。アーム内は臭気の通気路となっている。脱臭装置本体１０の下面の四隅にはキャスタ１３が取り付けられ、また、脱臭装置本体１０の側面上部には取手１４が取り付けられている。これにより、看護師やヘルパー等（以下、作業者と呼ぶ。）はこの脱臭装置１を、使用するベッドサイドまで手押しで移動することができる。なお、一部のキャスタ１３にはストッパ１３ａが取り付けられており、ストッパ１３ａによりキャスタ１３をロックすることで、脱臭装置１を確実に停止保持させておくことができる。また、脱臭装置本体１０の側面には、格子状のハンガー面（不図示）が形成され、このハンガー面に大きさの異なる複数の収納籠１５が着脱自在に取り付けられている。これらの収納籠１５に、それぞれ未使用のおむつやタオル等の備品、使用済みのおむつ等を分けて収納しておくことができる。なお、使用済みのおむつ等を収納する収納籠１５には、密閉蓋１５ａが設けられている。これにより、収納籠１５内の臭気を外部に漏らさないようにすることができる。
【００２３】
脱臭装置１の上面には操作パネル４０が設けられている。この操作パネル４０は作業者が脱臭装置１の操作を行うためのスイッチ群から構成されており、後述するように、スイッチ群により吸引アーム１１，１２の昇降動作や、臭気の吸引動作のＯＮ／ＯＦＦ操作を実行できる。
【００２４】
図２各図は、吸引アーム１１，１２の各部を拡大して示した部分側面図である。図２（ａ−１）,（ａ−２）は第２吸引アーム１２の先端部を示している両図に示したように、第２の吸引アーム１２の先端近傍の下面には、臭気を取り込むための直径１６０mmの開口１２ｃが形成されており、この開口１２ｃを取り囲むように、円錐台形状の臭気吸引カバー１８が取り付けられている。この臭気吸引カバー１８は、臭気発生源に面してテーパ角度θをなして開口１２ｃの外周縁位置に支持され、開口端の臭気吸引口１８ａにかけて拡径されている。これにより臭気吸引口１８ａを臭気発生源に向けることにより、臭気を確実に吸引し、臭気吸引カバー１８で囲まれたカバー内空間１８ｂを通じて開口１２ｃに吸引させ、臭気を外部に逃さない。本実施例の臭気吸引カバー１８のテーパ角度θはθ＝６０°に設定されているが、テーパ角度θの範囲はθ＝４５〜６５°程度に設定できる。なお、この臭気吸引カバー１８は、例えばアクリル板等の透明樹脂材料とすることにより、開口端の臭気吸引口１８ａを臭気発生源の近傍に接近させた場合にもおむつの交換作業等に支障を生じさせることがない。
【００２５】
図２（ａ−１）に示したように、臭気吸引カバー１８の内側には、第２の吸引アーム１２に形成された開口１２ｃを覆い、開口部から所定の離れｈを確保して、開口よりわずかに小さな平板状の遮蔽板１９が取り付けられている。この遮蔽板１９を開口前面に配置することにより、第２の吸引アーム１２と遮蔽板１９との間に、吸引通気部としての隙間１８ｃが形成され、この隙間１８ｃから臭気が吸引される（図中矢印で臭気の流れを示す）ことにより、吸引される臭気の風速が高められ、より効果的に所定風量の臭気を装置本体内に吸引することができる。
【００２６】
図２（ａ−２）は、この遮蔽板１９を、下向きに凸状をなす扁平円錐形状とした例を示している。臭気吸引時に、遮蔽板１９の面に沿った臭気流れを形成することにより、より効果的な吸引が可能になる。
【００２７】
以下、図２（ｂ），（ｃ）を参照して、第２の吸引アーム１２先端から第１の吸引アーム１１の根元部の脱臭装置本体１０（図１）内までの臭気の流れについて、簡単に説明する。図２（ｂ）に示したように、第１吸引アーム１１内、第２の吸引アーム１２内に形成された通気路１１ａ、１２ａは、リング状のシールジョイント１７ａが装着された回動関節１７により連通している。さらに、図２（ｃ）に示したように、第１の吸引アーム１１は、その根元部において、回動支持部１６を介して、脱臭装置本体１０（図１）から延びた伸縮式ダクト２０の上端にシールジョイント１６ａを介して回動可能に支持されている。このように、第２の吸引アーム１２は、第１の吸引アーム１１の先端と、シールジョイント１７ａを介して回動可能に連結されている。また、臭気吸引口１８ａから吸引された臭気は、第２の吸引アーム１２内から第１の吸引アーム１１内へ通気し、脱臭装置本体１０（図１）内まで導かれる。
【００２８】
ここで、第２の吸引アーム１２先端の臭気吸引カバー１８と遮蔽板１９の他の実施例について、図３各図を参照して説明する。
図３（ａ）、（ｂ）は、図２（ａ−１）で示した臭気吸引カバー１８のテーパ角度を上述のようにθ＝４５°、６５°とした例を示している。図３（ａ）に示した実施例では、臭気吸引カバー１８のテーパ角度（θ＝４５°）としたが、この場合、臭気吸引カバー１８の高さＨを図２（ａ−１）の場合より低くすることができ、対象により近づけることができる。そのときの吸引カバー１８の開放端の直径を大きくすることができ、吸引範囲を広くすることができる。また、遮蔽板１９の取り付け位置は開口１２ｃからの隙間１８ｃの距離ｈを小さくすることにより、吸引される臭気の風速を高め、十分な風量（吸気量）を確保することができる。図３（ｂ）は臭気吸引カバー１８のテーパ角度（θ＝４５°）とした他の実施例を示している。この実施例では、臭気吸引カバー１８の高さＨは図２（ａ−１）の場合より高くなり、吸引対象範囲も狭まるが、遮蔽板１９の取り付け位置は開口１２ｃからの距離ｈを大きくでき、十分な吸引風量を確保することができる。
【００２９】
図３（ｃ）〜（ｆ）は、図２（ａ−２）の変形例として各種形状の遮蔽板１９を示している。図３（ｃ）は図２（ａ−２）に示した下向きの扁平円錐形状の遮蔽板１９の高さを臭気吸引カバー１８の開放端までとし、臭気吸引カバー１８と遮蔽板１９とで囲まれたカバー内空間１８ｂの容積を小さくし、臭気吸引時の風速を高めるようにした変形例である。図３（ｄ）は、この遮蔽板１９を底面が円板状の円錐台形状とした変形例である。この場合には、臭気吸引カバー１８と遮蔽板１９とで囲まれたカバー内空間１８ｂの容積を、より小さくでき、臭気吸引効果をより高めることができる。
【００３０】
図３（ｅ）、（ｆ）は、遮蔽板１９の変形例として、下方に凸形状となる曲面状板を採用した例を示している。この場合には鋭角な部分がないので、カバー内空間１８ｂでの臭気のスムーズな流れを確保することができるとともに、装置使用時の安全性を高めることができる。図３（ｅ）の場合には、図２（ａ−２）に近い吸引効果が見込まれるが、臭気吸引カバー１８に沿って吸引される臭気に対して、遮蔽板１９に沿って吸引される臭気がカバー内空間１８ｂでスムースに混ざる効果が期待できるので、隙間１８ｃ近傍で発生する乱流状態を抑えることができる。なお、遮蔽板１９の曲面形状は球面に限られず、任意の凸形状の曲面板を採用することができる。そのときの遮蔽板１９の高さの違いにより、取り付け高さｈ（図３（ａ）参照）を適宜設定することができる。
【００３１】
図３（ｇ）は、臭気吸引カバー１８の外形形状が椀状をなす湾曲面とした変形例を示している。この形状からなる臭気吸引カバー１８では、吸引対象が狭まり、カバー内空間１８ｂも狭まるが、その分、吸引する臭気の風速を十分確保することができる。このとき、さらに遮蔽板１９として上述した各種の形状のものを併用することができる。
【００３２】
次に、脱臭装置本体１０に収納された各装置の構成と吸引した臭気の処理方法について説明する。
【００３３】
図４は、図１中の断面線ＩＩＩ−ＩＩＩで示した脱臭装置１の側断面図である。なお、図面の簡略化のため、吸引アーム１１を上下方向に昇降する昇降機構については図示を省略している。
【００３４】
図４に示すように、脱臭装置本体１０内には、第１の吸引アーム１１の通気路１１ａに接続された伸縮式ダクト２０と、伸縮式ダクト２０に接続され、臭気吸引口１８ａ（図１）から臭気を吸引するための吸気ファン２１と、臭気内の粉塵等を捕捉するフィルタとともに臭い成分を吸着する活性炭が充填された活性炭カートリッジ２２と、吸気ファン２１に電力を供給するバッテリ２３とが備えられている。なお、図中、吸引された臭気の流れを矢印で模式的に示している。
【００３５】
伸縮式ダクト２０は、第１の吸引アーム１１の通気路１１ａから流入した臭気が通気する通気路となる。なお、伸縮式ダクト２０は、後述するように吸引アーム１１の高さ方向の調整の際に生じる第１の吸引アーム１１の昇降動作に追随して伸縮するホース、例えば蛇腹式の樹脂製ホースから構成されている。
【００３６】
吸気ファン２１は、バッテリ２３から電力の供給を受けてモータ２１ａでシロッコファン２１ｂを回転させ、シロッコファン２１ｂの回転吸引により、吸引アーム１１，１２を経由して臭気吸引口１８ａ（図１）から臭気を吸引し、排気側から臭気を送気可能となっている。吸気ファン２１の吸引能力としては、臭気吸引口１８ａ（図１）において臭気の吸気量が３０００l/min程度確保できるように、本実施形態では２台の吸気ファン２１が通気路２０ａを挟んで対向して配置されている。臭気吸引口１８ａにおける臭気の吸気量３０００l/minは、実験による検証によって得られた値であり、この吸気量が確保されれば臭気の拡散が防げることが確認できた。そして、吸気ファン２１により吸引された臭気は、脱臭バッファ部２４に送られる。
【００３７】
脱臭バッファ部２４は、吸気ファン２１により送られた臭気を活性炭カートリッジ２２に均一に通過させるとともに、臭気吸引口１８ａにおいて所定の風速、吸気量を確保するために形成された空間である。例えば、本実施形態では脱臭バッファ部２４の高さＨは９６mmに設定されている。なお、脱臭バッファ部２４の高さＨを１００mm程度に設定することにより、活性炭カートリッジ２２に均一に臭気を通過させることができるとともに、臭気吸引口１８ａにおいて所定の吸気量を確保することができる。
【００３８】
活性炭カートリッジ２２は、脱臭装置本体１０内の下部位置に着脱自在に取り付けられ、通過する臭気中の微粒子や粉塵等を捕捉するとともに、メソ孔主体活性炭により、におい成分を吸着脱臭する。ここで、活性炭カートリッジ２２の詳細を図５を用いて説明する。図５は活性炭カートリッジ２２を示した図であり、（ａ）は活性炭カートリッジ２２の上面図、（ｂ）は（ａ）の矢視ｂ−ｂで示した活性炭カートリッジ２２の断面図を示している。
【００３９】
図５（ａ）に示すように、活性炭カートリッジ２２は、開口２５ａが形成された格子枠状の収容ケース２５によりその外殻が形成されている。この収容ケース２５の内部には上下面と、厚さ方向の中央仕切部に不織布フィルタ２６が配置され、その内部にメソ孔主体活性炭が充填された活性炭層２７が形成されている。不織布フィルタ２６には、たとえばフィレドンフィルタ（登録商標）が用いられ、メソ孔主体活性炭を安定して収容ケース２５内に充填させるためと、プレフィルタとして、吸引した臭気中の微粒子や粉塵等を捕捉する役割を果たす。活性炭層２７は臭気中のにおい成分を吸着する。用いられるメソ孔主体活性炭は、木質系の略球状活性炭（３〜５mm程度）で、活性炭に形成された主体細孔（メソ孔）径が２〜５０nmで、比表面積が１０００〜１４００m2/g程度から構成されている。
【００４０】
メソ孔主体活性炭は、活性炭層２７の通気性、脱臭効果を考慮して、メソ孔容積の割合が活性炭全吸着容積の５５〜７０％程度とするのがよい。より好ましくは６０〜６５％が脱臭効果の面から実験結果として好ましいことが確認されている。従来の活性炭は、ミクロ孔（０．８〜２mm）が形成されたものを主体にして用いられてきたが、本実施形態のようにメソ孔が形成された活性炭を主体にしたタイプの方が汚物複合臭の脱臭効果に優れることが、実験で確認された。また、活性炭層２７の中にサンゴ砂等の抗菌作用のある物質を混入することで、清潔な空気を活性炭カートリッジ２２から排出することができる。また本実施形態では、収容ケース２５に不織布フィルタ２６及び活性炭層２７を収容する構成としているため、脱臭装置１の利用現場では、活性炭カートリッジ２２をそのまま新しいものに差し替えて交換することが好ましい。しかし、不織布フィルタ２６は洗浄すれば再利用できる製品であるため、活性炭層２７を入れ替え、収容ケースを再利用したリサイクルカートリッジの使用も好ましい。
【００４１】
脱臭バッファ部２４から活性炭カートリッジ２２を通過した臭気は、脱臭、清浄され脱臭装置本体１０の下面から排出される。すなわち、脱臭装置本体１０の下面は空気の排出口となっている。
【００４２】
このように、脱臭装置１内の通気路を挟むように対向して配設された２台の吸気ファン２１が作動することにより、臭気吸引口１８ａから吸引された臭気は、第２の吸引アーム１２の通気路１２ａから第１の吸引アーム１１の通気路１１ａを通気して、脱臭装置1内の脱臭バッファ部２４で面状のフロー状態となり、活性炭カートリッジ２２まで導かれる。
【００４３】
なお、臭気発生源から発生した臭気を吸引する際は、臭気吸引口１８ａをなるべく臭気発生源の近傍まで移動することで、脱臭装置１の周辺に臭気が拡散するのを防止することが好ましい。本実施形態の脱臭装置１では、臭気吸引口１８ａを臭気発生源の近傍に位置させることができるように、脱臭装置本体１０上面に取付けられた、第１の吸引アーム１１及び第２の吸引アーム１２を、回動支持部１６と回動関節１７回りに所定角度だけ回動させて伸長させることで、臭気発生源と臭気吸引口１８ａとの平面的な位置合わせが行われる。これに加え、脱臭装置１は、臭気吸引口１８ａを所定の高さとするために、吸引アーム１１、１２の高さ位置を調整する昇降装置３０を備えている。
【００４４】
図６は、脱臭装置１を上方から見た平面図である。図に示すように、第１の吸引アーム１１は、平面視して回動支持部１６回りに時計回り、反時計回りに回動でき、第２の吸引アーム１２は回動関節１７回りに同様に回動できる。これにより、作業者は、吸引アーム１１，１２の折りたたみ時から、最大伸長時までの範囲において、第２の吸引アーム１２の先端に取付けられた取手１２ｂを手に取り、第２の吸引アーム１２を移動させて、臭気吸引口１８ａを所望の位置に移動させることができる。また、このように、第１の吸引アーム１１及び第２の吸引アーム１２を自在に動かすことができるため、脱臭装置１の待機時や、手押しにより移動させる場合等に、第１の吸引アーム１１及び第２の吸引アーム１２を折りたたんだ状態としておくことが好ましい。
【００４５】
図７は、脱臭装置１の側断面図を示している。同図に示したように、脱臭装置１内には、第１の吸引アーム１１及び第２の吸引アーム１２を上下方向に昇降させる昇降装置３０が設けられている。この昇降装置３０は、ギアモータＭと、ギアモータＭの回転軸の回転プーリ（不図示）に掛け渡された伝動ベルト３１と、鉛直方向に配置され、上下端が図示しない支持プレートに支持され、伝動ベルト３１の駆動力により回転可能なボールねじ３２と、このボールねじ３２に螺合したナット３６が固定されたベースプレート３５と、このベースプレート３５の四隅に立設され、上面がアーム支持プレート３８に固定され、全体として枠体状をなした昇降フレーム３７の一部を構成する４本のシャフト３３と、シャフト３３の上下方向のスライドを案内するために、脱臭装置本体１０に固定支持されたリニアブッシュ３４とを備えている。同図では、昇降フレーム３７の構成および動作を説明するために、伸縮式ダクト２０の一部及び吸気ファン２１の図示を省略している。
【００４６】
以下、昇降装置３０の構成と動作について説明する。昇降フレーム３７の上面を構成するアーム支持プレート３８は、第１の吸引アーム１１に回動支持部１６を介して連結されている。また、下面を構成するベースプレート３５に取り付けられたナット３６は、ボールねじ３２と螺合している。ボールねじ３２の端部にはプーリ（不図示）が設けられており、このプーリとギアモータＭに設けられたプーリ（不図示）とに伝動ベルト３１が掛け渡されることにより、ギアモータＭの回転駆動がボールねじ３２に伝達される。ギアモータＭは可変速型のモータであり、脱臭装置本体１０の上面に設けられた操作パネル４０のスイッチ（図１）を操作することにより、ギアモータＭを所望の回転方向及び回転速度にすることができる。このとき、４本のシャフト３３がリニアブッシュ３４により起立位置が保持されているため、昇降フレーム３７は、回転が抑止された状態で、モータの回転方向に応じて上方向あるいは下方向に昇降することができる。そして、この昇降フレーム３７とともに、吸引アーム１１、１２は上下方向に昇降する。本実施形態ではこの昇降フレーム３７の最大ストロークＳは３６０mmに設定されている。作業者は、操作パネル４０を操作することにより、第２の吸引アーム１２の先端に形成された臭気吸引口１８ａの高さをこの範囲内で調整することができる。
【００４７】
次に、本願の実施形態に係る脱臭装置１の使用方法について説明する。ここでは、病棟や老人介護施設などにおいての利用を例に説明する。まず、脱臭装置１を、おむつ交換を必要とする人のベッドの足元付近に移動させる。そして、臭気吸引口１８ａが臭気発生源付近にくるように、操作パネル４０のスイッチ操作により、臭気吸引口１８ａと臭気発生源との高さを合わせるとともに、第２の吸引アーム１２に取り付けられた取手１２ｂを持って吸引アーム１１、１２を伸長させて、臭気吸引口１８ａと臭気発生源との平面的な位置合わせをする。このようにして、臭気吸引口１８ａの位置合わせが完了すると、操作パネル４０の吸気ファン２１のスイッチをオンにする。図８は、おむつ交換の際に発生する臭気を脱臭装置１を使用して脱臭、清浄している様子を示した図である。そして、臭気吸引口１８ａから臭気を吸引しながら、おむつ交換を実施する。なお、おむつ交換に用いる新しいおむつ等の備品類は、予め脱臭装置本体１０に取り付けられた収納籠１５に収納しておき、また、使用済みのおむつは密閉蓋付きの収納籠１５に収納することができる。そのため、備品類等を備えた脱臭装置１を準備することにより、複数人のおむつを交換することができる。
【００４８】
なお、図８に示すように、第１の吸引アーム１１及び第２の吸引アーム１２を伸長させた場合にも、脱臭装置１の安定が図れるように、脱臭装置本体１０内にカウンタウエイトを設置したり、あるいは、脱臭装置１の下部に位置する部材を重量のある材料から構成してもよい。また、第１の吸引アーム１１及び第２の吸引アーム１２を伸長させた方向にアウトリガを張り出して脱臭装置１の安定を図ってもよい。
【００４９】
なお、本発明は上述した実施形態に限られず、様々な変形及び応用が可能である。例えば、吸気ファン２１が稼働した時間を積算していき、積算した時間が予め設定した活性炭カートリッジ２２の寿命期間に達すると、操作パネルに設けられた警告ランプを点灯させて、活性炭カートリッジ２２の交換を作業者に促すようにしてもよい。これにより、十分に脱臭効果を発揮しない活性炭カートリッジ２２を使用することがなくなるとともに、予め交換用の活性炭カートリッジ２２を準備しておくように作業者に促すことができる。
【００５０】
また、収納籠１５に吸気ファン２１を接続して、おむつ等の汚物を収容する収納籠１５に充満した臭気を脱臭する構成としてもよい。これにより、収納籠１５に充満した臭気を外部に拡散することを防止することが可能となる。
【符号の説明】
【００５１】
１    脱臭装置
１０  脱臭装置本体
１１  第１の吸引アーム
１２  第２の吸引アーム
１６  回動支持部
１７  回動関節
１８  臭気吸引カバー
１８ａ  臭気吸引口
１９  遮蔽板
２０  伸縮式ダクト
２１  吸気ファン
２２  活性炭カートリッジ
２４  脱臭バッファ部
２６  不織布フィルタ
２７  活性炭層
３０  昇降装置
３２  ボールねじ
３３  シャフト
３６  ナット
３７  昇降フレーム
Ｍ    ギアモータ
【図１】
2010253246.tif 000003
【図２】
2010253246.tif 000004
【図３】
2010253246.tif 000005
【図４】
2010253246.tif 000006
【図５】
2010253246.tif 000007
【図６】
2010253246.tif 000008
【図７】
2010253246.tif 000009
【図８】
2010253246.tif 000010